(57)【要約】      （修正有）【課題】書等の作品が描かれた紙や断簡等を台紙に貼付しないで収集、保管、鑑賞できる折帖を提供する。【解決手段】本折帖１０の折帖本体は複数枚の正面側プレート紙１２と背面側プレート紙を備えている。正面側プレート紙１２は谷折部１２Ａで折り曲げて正面側第１プレート紙部１６と正面側第２プレート紙部１８が形成されている。正面側第１プレート紙部１６と正面側第２プレート紙部１８には窓部２２が形成されている。背面側プレート紙は山折部で折り曲げて背面側第１プレート紙部と背面側第２プレート紙部が形成されている。正面側第１プレート紙部１６と背面側第２プレート紙部との間と正面側第２プレート紙部１８と背面側第１プレート紙部の間には収容部が形成され、書等の作品が描かれた紙や断簡等が貼付された貼付用台紙３４を収容できるようになっている。【選択図】図１
0003163906.tif 000002
【実用新案登録請求の範囲】
【請求項１】
開いた場合に正面側に位置する複数の正面側プレート紙と背面側に位置する複数の背面側プレート紙から構成された折帖本体を備えてなる折帖であって、前記正面側プレート紙に谷折部を形成することにより設けられた正面側第１プレート紙部及び正面側第２プレート紙部と、この正面側第１プレート紙部又は正面側第２プレート紙部の少なくとも一方に開口形成された窓部と、前記背面側プレート紙に山折部を形成することにより設けられると共に前記正面側第２プレート紙部と対応する背面側第１プレート紙部及び前記正面側第１プレート紙部と対応する背面側第２プレート紙部と、前記正面側第１プレート紙部と前記背面側第２プレート紙部との間及び前記正面側第２プレート紙部と前記背面側第１プレート紙部の間に形成された収容部と、この収容部に収容可能な貼付用台紙と、前記正面側プレート紙の一端部と前記背面側プレート紙の一端部の間に形成された貼付用台紙取出口部と、を設けてなることを特徴とする折帖。
【請求項２】
開いた場合に正面側に位置する複数の正面側プレート紙と背面側に位置する複数の背面側プレート紙から構成された折帖本体を備えてなる折帖であって、前記正面側プレート紙に谷折部を形成することにより設けられた正面側第１プレート紙部及び正面側第２プレート紙部と、この正面側第１プレート紙部又は正面側第２プレート紙部の少なくとも一方に開口形成された窓部と、前記背面側プレート紙に山折部を形成することにより設けられると共に前記正面側第２プレート紙部と対応する背面側第１プレート紙部及び前記正面側第１プレート紙部と対応する背面側第２プレート紙部と、前記正面側第１プレート紙部と前記背面側第２プレート紙部との間及び前記正面側第２プレート紙部と前記背面側第１プレート紙部との間に配設された収容部確保体と、前記正面側第１プレート紙部と前記背面側第２プレート紙部との間及び前記正面側第２プレート紙部と前記背面側第１プレート紙部の間に形成された収容部と、この収容部に収容可能な貼付用台紙と、前記正面側プレート紙の一端部と前記背面側プレート紙の一端部の間に形成された貼付用台紙取出口部と、前記正面側プレート紙の他端部と前記背面側プレート紙の他端部の間に配設された貼付用台紙脱落防止体と、を設けてなることを特徴とする折帖。
【請求項３】
開いた場合に正面側に位置する複数の正面側プレート紙と背面側に位置する複数の背面側プレート紙から構成された折帖本体を備えてなる折帖であって、前記正面側プレート紙に谷折部を形成することにより設けられた正面側第１プレート紙部及び正面側第２プレート紙部と、この正面側第１プレート紙部又は正面側第２プレート紙部の少なくとも一方に開口形成された窓部と、この窓部を覆うように配設された透明シート体と、前記背面側プレート紙に山折部を形成することにより設けられると共に前記正面側第２プレート紙部と対応する背面側第１プレート紙部及び前記正面側第１プレート紙部と対応する背面側第２プレート紙部と、前記正面側第１プレート紙部の両側部と前記背面側第２プレート紙部の両側部との間及び前記正面側第２プレート紙部の両側部と前記背面側第１プレート紙部の両側部との間に配設された収容部確保体と、前記正面側第１プレート紙部と前記背面側第２プレート紙部との間及び前記正面側第２プレート紙部と前記背面側第１プレート紙部の間に形成された収容部と、この収容部に収容可能な貼付用台紙と、前記正面側プレート紙の一端部と前記背面側プレート紙の一端部の間に形成された貼付用台紙取出口部と、前記正面側プレート紙の他端部と前記背面側プレート紙の他端部の間に配設された貼付用台紙脱落防止体と、前記折帖本体の一側部に位置する正面側プレート紙の正面側第１プレート紙部に設けられた表紙と、前記折帖本体の他側部に位置する正面側プレート紙の正面側第２プレート紙部に設けられた裏表紙と、を設けてなることを特徴とする折帖。
【考案の詳細な説明】
【技術分野】
【０００１】
本考案は、書、短歌、俳句、絵等の作品を収集、保管、鑑賞することができる折帖に関する。
【背景技術】
【０００２】
従来から書、短歌、俳句、絵等の作品を貼り込んで収集、保管して手軽に鑑賞できる製品として折帖が知られている。
この折帖は折曲線で折り曲げた台紙を複数連設して形成し、台紙の表面に前記書、短歌、俳句、絵等の作品が描かれた紙や断簡等を糊等の接着剤で貼付している。
このため、前記折帖の台紙から貼付してある書、短歌、俳句、絵等の作品が描かれた紙や断簡等を剥がす必要が生じた場合は前記紙や断簡等をヘラ等を使用して剥がすため剥がす際に台紙の紙の一部が一緒に剥がれて台紙を傷つけたり、台紙を汚したりしてしまうおそれがある。
また、前記紙や断簡等を台紙から剥がす際に紙や断簡等が破れたりして前記書、短歌、俳句、絵等の作品の外観品質を大きく損ねてしまうおそれもある。
【考案の概要】
【考案が解決しようとする課題】
【０００３】
本考案は、上記事実に鑑みなされたものであり、書、短歌、俳句、絵等の作品が描かれた紙や断簡等を台紙に貼付しないで収集、保管、鑑賞することができる折帖を提供するものである。
【課題を解決するための手段】
【０００４】
請求項１の考案は、開いた場合に正面側に位置する複数の正面側プレート紙と背面側に位置する複数の背面側プレート紙から構成された折帖本体を備えてなる折帖であって、前記正面側プレート紙に谷折部を形成することにより設けられた正面側第１プレート紙部及び正面側第２プレート紙部と、この正面側第１プレート紙部又は正面側第２プレート紙部の少なくとも一方に開口形成された窓部と、前記背面側プレート紙に山折部を形成することにより設けられると共に前記正面側第２プレート紙部と対応する背面側第１プレート紙部及び前記正面側第１プレート紙部と対応する背面側第２プレート紙部と、前記正面側第１プレート紙部と前記背面側第２プレート紙部との間及び前記正面側第２プレート紙部と前記背面側第１プレート紙部の間に形成された収容部と、この収容部に収容可能な貼付用台紙と、前記正面側プレート紙の一端部と前記背面側プレート紙の一端部の間に形成された貼付用台紙取出口部と、を設けてなることを特徴としている。
請求項２の考案は、開いた場合に正面側に位置する複数の正面側プレート紙と背面側に位置する複数の背面側プレート紙から構成された折帖本体を備えてなる折帖であって、前記正面側プレート紙に谷折部を形成することにより設けられた正面側第１プレート紙部及び正面側第２プレート紙部と、この正面側第１プレート紙部又は正面側第２プレート紙部の少なくとも一方に開口形成された窓部と、前記背面側プレート紙に山折部を形成することにより設けられると共に前記正面側第２プレート紙部と対応する背面側第１プレート紙部及び前記正面側第１プレート紙部と対応する背面側第２プレート紙部と、前記正面側第１プレート紙部と前記背面側第２プレート紙部との間及び前記正面側第２プレート紙部と前記背面側第１プレート紙部との間に配設された収容部確保体と、前記正面側第１プレート紙部と前記背面側第２プレート紙部との間及び前記正面側第２プレート紙部と前記背面側第１プレート紙部の間に形成された収容部と、この収容部に収容可能な貼付用台紙と、前記正面側プレート紙の一端部と前記背面側プレート紙の一端部の間に形成された貼付用台紙取出口部と、前記正面側プレート紙の他端部と前記背面側プレート紙の他端部の間に配設された貼付用台紙脱落防止体と、を設けてなることを特徴としている。
請求項３の考案は、開いた場合に正面側に位置する複数の正面側プレート紙と背面側に位置する複数の背面側プレート紙から構成された折帖本体を備えてなる折帖であって、前記正面側プレート紙に谷折部を形成することにより設けられた正面側第１プレート紙部及び正面側第２プレート紙部と、この正面側第１プレート紙部又は正面側第２プレート紙部の少なくとも一方に開口形成された窓部と、この窓部を覆うように配設された透明シート体と、前記背面側プレート紙に山折部を形成することにより設けられると共に前記正面側第２プレート紙部と対応する背面側第１プレート紙部及び前記正面側第１プレート紙部と対応する背面側第２プレート紙部と、前記正面側第１プレート紙部の両側部と前記背面側第２プレート紙部の両側部との間及び前記正面側第２プレート紙部の両側部と前記背面側第１プレート紙部の両側部との間に配設された収容部確保体と、前記正面側第１プレート紙部と前記背面側第２プレート紙部との間及び前記正面側第２プレート紙部と前記背面側第１プレート紙部の間に形成された収容部と、この収容部に収容可能な貼付用台紙と、前記正面側プレート紙の一端部と前記背面側プレート紙の一端部の間に形成された貼付用台紙取出口部と、前記正面側プレート紙の他端部と前記背面側プレート紙の他端部の間に配設された貼付用台紙脱落防止体と、前記折帖本体の一側部に位置する正面側プレート紙の正面側第１プレート紙部に設けられた表紙と、前記折帖本体の他側部に位置する正面側プレート紙の正面側第２プレート紙部に設けられた裏表紙と、を設けてなることを特徴としている。
【考案の効果】
【０００５】
本考案の折帖は、台紙に書、短歌、俳句、絵等の作品が描かれた紙や断簡等を直接貼付しないため台紙を傷つけたり台紙を汚したりすることが無いので折帖の美観を可及的長期に保持したまま折帖を使用することができるという優れた効果を有する。
本考案の折帖は、台紙に書、短歌、俳句、絵等の作品が描かれた紙や断簡等を直接貼付しないので前記紙や断簡を取り外す必要性が生じた場合であっても剥がした紙や断簡等が破れたりして前記書、短歌、俳句、絵等の作品の外観品質を低下させることはないという優れた効果を有する。
請求項３の折帖は、上記優れた効果の他に透明シート体を設けたことにより書、短歌、俳句、絵等の作品が汚れたりするのをより確実に防止できるという優れた効果を有する。
【図面の簡単な説明】
【０００６】
【図１】第１実施例の折帖を開いた状態の斜視面図である。
【図２】第１実施例の折帖を開いた状態の底面図である。
【図３】第１実施例の折帖本体の一部分解断面図である。
【図４】第１実施例の折帖本体の一部拡大底面図である。
【図５】第１実施例の折帖の作用を示す一部斜視図である。
【図６】第２実施例の折帖を開いた斜視図である。
【考案を実施するための形態】
【０００７】
考案を実施するために最良の形態の例として以下のような実施例を示す。
【実施例１】
【０００８】
図１〜図５には本考案に係る折帖の第１実施例が示されている。
図２に示されるように、本考案の折帖１０の折帖本体１１は複数枚の正面側プレート紙１２と複数枚の背面側プレート紙１４を備えている。なお、この実施例の折帖１０の折帖本体１１は５枚の正面側プレート紙１２と４枚の背面側プレート紙１４から構成されている。
前記正面側プレート紙１２と背面側プレート紙１４は共に矩形状の厚紙で同一形状に形成されており、正面側プレート紙１２は前記折帖１０を開いた場合に正面側に位置し、背面側プレート紙１４は前記折帖１０を開いた場合に背面側に位置するようになっている。
前記正面側プレート紙１２は中央部の谷折部１２Ａで折り曲げて形成されている。前記正面側プレート紙１２に谷折部１２Ａを形成することにより正面側第１プレート紙部１６と正面側第２プレート紙部１８が対向して形成されている。
図１に示されるように、前記正面側第１プレート紙部１６と前記正面側第２プレート紙部１８には窓部２２が大きく開口して形成されている。
図２及び図３に示されるように、前記正面側プレート紙１２の背面側には前記背面側プレート紙１４が配設されている。
前記背面側プレート紙１４は中央部の山折部１４Ａで折り曲げて形成されている。前記背面側プレート紙１４に山折部１４Ａを形成することにより背面側第１プレート紙部２６と背面側第２プレート紙部２８が対向して形成されている。
前記正面側プレート紙１２の正面側第１プレート紙部１６と前記背面側プレート紙１４の背面側第２プレート紙部２８が対応し、前記正面側プレート紙１２の正面側第２プレート紙部１８と前記背面側プレート紙１４の背面側第１プレート紙部２６が対応するようになっている。
図１及び図３に示されるように、正面側第１プレート紙部１６の両側部と背面側第２プレート紙部２８の両側部との間及び正面側第２プレート紙部１８の両側部と背面側第１プレート紙部２６の間には厚紙で形成された細長いプレート状の収容部確保体３０がそれぞれ配設されると共に糊等の接着剤で接着されている。
これにより、図３及び図４に示されるように前記正面側第１プレート紙部１６と前記背面側第２プレート紙部２８との間と前記正面側第２プレート紙部１８と前記背面側第１プレート紙部２６の間には収容部３２が形成されている。
この収容部３２には図１に示されるように書、短歌、俳句、絵等の作品が描かれた紙や断簡等が貼付された貼付用台紙３４を収容できるようになっている。なお、実施例ではこの貼付用台紙３４に貼付される書、短歌、俳句、絵等の作品が描かれた紙や断簡等は省略する。
図５に示されるように、前記正面側プレート紙１２の一端部と前記背面側プレート紙１４の一端部との間には貼付用台紙取出口部３６が形成されており前記貼付用台紙３４を収容部３２に出し入れすることができるようになっている。
なお、図１に示されるように前記正面側プレート紙１２と前記背面側プレート紙１４の他端部には厚紙で形成された細長いプレート状の貼付用台紙脱落防止体３８が配設され、収容部３２に収容した貼付用台紙３４が不用意に脱落しないようになっている。
前記折帖本体１１の一側部に位置する正面側プレート紙１２の正面側第１プレート紙部１６には折帖１０の表紙４０が接着して設けられ、折帖本体１１の他側部に位置する正面側プレート紙１２の正面側第２プレート紙部１８には折帖１０の裏表紙４２が接着して設けられている。
【０００９】
次に、第１実施例の折帖１０の作用について説明する。
実施例の折帖１０に書、短歌、俳句、絵等の作品が描かれている紙や断簡等を収集する場合は、書、短歌、俳句、絵等の作品が描かれている紙や断簡等を貼付用台紙３４に貼付して貼付用台紙３４を貼付用台紙取出口部３６から差し込んで収容部３２に収容する。なお、収容部３２には貼付用台紙脱落防止体３８が配設されているので収容部３２に収容した貼付用台紙３４は不用意に脱落することはない。
前記折帖１０に収集した書、短歌、俳句、絵等の作品を鑑賞する場合は窓部２２を介して書、短歌、俳句、絵等の作品を鑑賞することができる。
また、折帖１０に収集した前記書、短歌、俳句、絵等の作品が描かれている紙や断簡等が貼付された貼付用台紙３４を外したい場合が生じた時は前記貼付用台紙３４を貼付用台紙取出口部３６から引っ張って取り出せば簡単かつ迅速に前記貼付用台紙３４を取り外すことができる。
従って、本考案の折帖１０は従来の折帖のように台紙に直接書、短歌、俳句、絵等の作品が描かれている紙や断簡等をヘラ等で剥がす必要はないので、台紙の紙の一部が一緒に剥がれて台紙を傷つけたり、台紙を汚したりすることが無いため折帖１０の外観品質を可及的に損ねないで折帖１０を長期間にわたって使用することができる。
また、取り外された書、短歌、俳句、絵等の作品が描かれている紙や断簡等も取り外しの際に破れたり汚れたりするおそれはないので作品の価値を低下させることはない。
なお、前記貼付用台紙３４は貼付用台紙取出口部３６を介して収容部３２に容易に出し入れできるので、収集した書、短歌、俳句、絵等の作品が描かれている紙や断簡等が貼付された貼付用台紙３４を多数用意しておけば極めて簡単かつ迅速に折帖１０に入れ替えすることができ、多くの書、短歌、俳句、絵等の作品を鑑賞でき便利である。
さらに、本考案の折帖１０は上述したように外観品質を可及的に損ねないで長期間にわたって使用することができるので、前記折帖１０をレンタル商品としても活用することが充分可能になる。
【００１０】
図６には第２実施例の折帖５０が示されている。なお、第１実施例の折帖１０と同一の構成は同一の符号を用いてその説明を省略する。
図６に示されるように、第２実施例の折帖５０の正面側第１プレート紙部１６と正面側第２プレート紙部１８には透明シート体としての透明フィルムシート５２が配設され、前記窓部２２を覆うようになっている。
従って、前記折帖５０に収集された書、短歌、俳句、絵等の作品を鑑賞している場合等に窓部２２を介して書、短歌、俳句、絵等の作品を汚したりすることをより確実に防止することができる。
なお、他の構成及び作用は第１実施例の折帖１０と同一であるのでその説明は省略する。
【００１１】
なお、実施例では折帖１０，５０に書、短歌、俳句、絵等の作品を収集する場合を示したが、書、短歌、俳句、絵等以外の作品でもよいことは勿論である。
また、実施例では折帖本体１１を５枚の正面側プレート紙１２と４枚の背面側プレート紙１４で構成したが、折帖本体１１を構成する正面側プレート紙１２と背面側プレート紙１４の枚数は実施例に限定されるものでないことは勿論である。
【産業上の利用可能性】
【００１２】
本考案の折帖は、外観品質を可及的に損ねないで長期間にわたって使用することができるので、レンタル商品としても使用することもできる。
【符号の説明】
【００１３】
１０    折帖
１１    折帖本体
１２    正面側プレート紙
１２Ａ  谷折部
１４    背面側プレート紙
１４Ａ  山曲部
１６    正面側第１プレート紙部
１８    正面側第２プレート紙部
２２    窓部
２６    背面側第１プレート紙部
２８    背面側第２プレート紙部
３０    収容部確保体
３２    収容部
３４    貼付用台紙
３６    貼付用台紙取出口部
３８    貼付用台紙脱落防止体
４０    表紙
４２    裏表紙
５０    折帖
５２    透明フィルムシート
【図１】
0003163906.tif 000003
【図２】
0003163906.tif 000004
【図３】
0003163906.tif 000005
【図４】
0003163906.tif 000006
【図５】
0003163906.tif 000007
【図６】
0003163906.tif 000008